(57)【特許請求の範囲】
【請求項１】
一対以上の導体を設けた外郭を有し、前記導体を介して電力及び信号の少なくとも一方を供給する配線ダクトの前記外郭に挿入される配線ダクト接続部材において、
前記配線ダクトへの挿入動作に伴い、前記導体と電気的に接続される接続部を備え、
前記配線ダクトの外郭は、その長手方向に延びる少なくとも１つ以上のスリット状の開口空間を有し、前記開口空間を形成する１つの面に前記導体が設けられ、前記１つの面に対向するもう１つの面に、前記配線ダクト接続部材を保持するための保持部が設けられ、
前記配線ダクト接続部材は、前記配線ダクトの開口空間に嵌合する少なくとも１つ以上の凸部を有し、
前記接続部は、前記凸部に設けられ、前記配線ダクトへの挿入動作に伴い、前記配線ダクトに設けられた前記保持部により所定方向に付勢され、前記配線ダクトの導体と電気的に接続されることを特徴とする配線ダクト接続部材。
【請求項２】
一対以上の導体を設けた外郭を有し、前記導体を介して電力及び信号の少なくとも一方を供給する配線ダクトの前記外郭に挿入される配線ダクト接続部材において、
前記配線ダクトへの挿入動作に伴い、前記導体と電気的に接続される接続部を備え、
前記配線ダクトの外郭は、その長手方向に延びる少なくとも１つ以上のスリット状の開口空間を有し、前記開口空間を形成する１つの面に前記導体が設けられ、前記１つの面に対向するもう１つの面に、前記配線ダクト接続部材を保持するための保持部が設けられ、
前記配線ダクト接続部材は、
前記配線ダクトの開口空間に嵌合する少なくとも１つ以上の凸部と、
前記配線ダクト及び当該配線ダクト接続部材を接続固定するための外部操作部と、を有し、
前記接続部は、前記凸部に設けられ、前記外部操作部の押込操作に伴い、前記配線ダクトに設けられた前記保持部により所定方向に付勢され、前記配線ダクトの導体と電気的に接続されることを特徴とする配線ダクト接続部材。
【請求項３】
前記開口空間は、前記配線ダクトの開口部から内部に向かい狭くなる形状を有し、
前記配線ダクト接続部材の凸部は、当該形状に沿って、前記配線ダクトの開口部から内部に向かって拡大する形状を有することを特徴とした請求項２記載の配線ダクト接続部材。
【請求項４】
前記開口空間及び配線ダクト接続部材の凸部は、前記配線ダクトの開口部から内部に向かって傾斜する傾斜部を有することを特徴とする請求項３記載の配線ダクト接続部材。
【請求項５】
前記傾斜部は、熱硬化性樹脂で構成されることを特徴とする請求項４記載の配線ダクト接続部材。
【請求項６】
前記配線ダクト接続部材は、さらに、
前記接続部となる金属導体を取り付ける取り付け板と、
前記取り付け板と前記配線ダクト接続部材の外郭との間に配置されるバネと、を備え、
前記接続部の可動範囲は、前記外部操作部の押込操作に伴い押し込まれる前記取り付け板及び前記バネの可動範囲によって決まることを特徴とした請求項２乃至請求項５のいずれか一項に記載の配線ダクト接続部材。
【請求項７】
前記外部操作部と前記取り付け板との間にバネを設けることを特徴とする請求項６記載の配線ダクト接続部材。
【請求項８】
前記取り付け板と前記外郭との間に配置されるバネと、前記外部操作部と前記取り付け板との間に設けたバネとを一体化したことを特徴とする請求項７記載の配線ダクト接続部材。
【請求項９】
一対以上の導体を設けた外郭を有し、前記導体を介して電力及び信号の少なくとも一方を供給する配線ダクトの前記外郭に挿入される配線ダクト接続部材において、
前記配線ダクトへの挿入動作に伴い、前記導体と電気的に接続される接続部を備え、
前記配線ダクトの外郭は、その長手方向に延びる少なくとも１つ以上のスリット状の開口空間を有し、前記開口空間を形成する１つの面、及びこの１つの面に対向するもう１つの面に前記導体が設けられ、
前記配線ダクト接続部材は、
前記配線ダクトの開口空間に嵌合する少なくとも１つ以上の凸部と、
前記凸部内に設けられて前記接続部を前記導体側に誘導する傾斜を有する傾斜部と、
前記配線ダクト及び当該配線ダクト接続部材を接続固定するための外部操作部と、を有し、
前記接続部は、前記凸部に設けられ、前記外部操作部の押込操作に伴い、前記傾斜部の傾斜より所定方向に付勢されて前記導体と電気的に接続され、
複数の前記接続部は、前記配線ダクトの短手方向における長さの異なる段違い構成を有することを特徴とする配線ダクト接続部材。
【請求項１０】
前記接続部は、バネ形状の金属導体、又は立体形状の金属導体で形成されることを特徴とする請求項１乃至請求項９のいずれか一項に記載の配線ダクト接続部材。
【請求項１１】
複数の前記接続部は、前記配線ダクトの短手方向における長さの異なる段違い構成を有することを特徴とした請求項１乃至請求項８、及び１０のいずれか一項に記載の配線ダクト接続部材。
【請求項１２】
前記外部操作部は、機械的な押しボタンであることを特徴とする請求項２乃至請求項１１のいずれか一項に記載の配線ダクト接続部材。
【請求項１３】
前記外部操作部の押込操作で、前記配線ダクト接続部材を前記配線ダクトに固定することを特徴とする請求項２乃至請求項１２のいずれか一項に記載の配線ダクト接続部材。
【発明の詳細な説明】
【技術分野】
【０００１】
本発明は、電気機器に電力及び信号を供給する配線ダクトに接続される配線ダクト接続部材に関し、特に、弱電仕様の電気機器に電力及び信号を供給する小型の配線ダクトに接続される配線ダクト接続部材に関する。
【背景技術】
【０００２】
従来より、工場や店舗や事務所の屋内において、天井に配線ダクトを敷設した配線ダクトシステムを設けることが知られている。この配線ダクトシステムでは、様々な照明器具や他の電気器具の電源を任意の位置から取り出すことができ、また照明器具や電気機器のプラグの取り付けや取り外しも容易となる。
【０００３】
この配線ダクトシステムに用いる配線ダクトに接続される照明器具などの電気機器は一般的に強電仕様であり、従って、配線ダクトの大きさや構造はＪＩＳ規格などの安全規格に準拠する必要がある。例えば、配線ダクトの開口部には構造制約が設けられ、ノイズや火災の発生を防止するため、配線ダクト内に設けられる電力線や通信線間の離隔距離が規格、標準化されている。また、配線ダクトの一側面に設けられた開口部から取り付けられる挿入型のジョイナや回転式のプラグなどの接続部材も構造制約がなされている。
【０００４】
そして、接続部材を回転させるためのスペースをプラグから削減してプラグの小型化、及び配線ダクトの小型化を図った配線ダクト用プラグが知られている（例えば、特許文献１参照）。この配線ダクト用プラグは、図１１に示すように、配線ダクト３０の開口部にプラグ３１を挿し込み、配線ダクト用プラグ３１に設けられた操作レバー３２を使用者が所定方向に回転させる。この操作により、配線ダクト３０内に設けられた電力線と配線ダクト用プラグ３１に設けられた栓刃とが接触し電気的に接続される構造を有している。
【０００５】
また、コンセントプラグを配線ダクトに装着してＡＣ／ＤＣアダプタを接続する際、ＡＣ／ＤＣアダプタが宙に浮かないようにコード等で括りつけたりする必要のない配線ダクト用コンセントプラグも知られている（例えば、特許文献２参照）。
【０００６】
そして、近年、強電仕様の電気機器のみでなく、各種センサなど、弱電仕様の電気機器が接続可能な配線ダクトシステムがある。この配線ダクトシステムでは、接続される電気機器が弱電対象となるため、配線ダクト内に設けられる電力線や通信線といった導体間の距離的な制約は抑制され、配線ダクトやプラグなどの配線ダクト接続部材の小型薄型化を図ることができる。
【先行技術文献】
【特許文献】
【０００７】
【特許文献１】特願２０１０−１４３８２１号公報
【特許文献２】特開２００８−１８２８５４号公報
【発明の概要】
【発明が解決しようとする課題】
【０００８】
しかしながら、上記のような小型薄型の配線ダクトに挿し込まれる配線ダクト接続部材においては、未だ、配線ダクトとの間の固定構造や電気的な接続構造が多様であり定まっていないという問題がある。例えば、上記特許文献１に示す配線ダクト用プラグ３１は、配線ダクト用プラグ３１を配線ダクト３０に固定するには操作レバー３２を使用者が回転させる必要があり手間を要する。
【０００９】
本発明は、上記問題を解消するものであり、小型薄型の配線ダクトに挿し込むだけで配線ダクトに固定できると共に、電気的な接続をすることができ、接続作業の容易な小型薄型の配線ダクト接続部材を提供することを目的とする。
【課題を解決するための手段】
【００１０】
上記目的を達成するために本発明は、一対以上の導体を設けた外郭を有し、前記導体を介して電力及び信号の少なくとも一方を供給する配線ダクトの前記外郭に挿入される配線ダクト接続部材において、前記配線ダクトへの挿入動作に伴い、前記導体と電気的に接続される接続部を備え、前記配線ダクトの外郭は、その長手方向に延びる少なくとも１つ以上のスリット状の開口空間を有し、前記開口空間を形成する１つの面に前記導体が設けられ、前記１つの面に対向するもう１つの面に、前記配線ダクト接続部材を保持するための保持部が設けられ、前記配線ダクト接続部材は、前記配線ダクトの開口空間に嵌合する少なくとも１つ以上の凸部を有し、前記接続部は、前記凸部に設けられ、前記配線ダクトへの挿入動作に伴い、前記配線ダクトに設けられた前記保持部により所定方向に付勢され、前記配線ダクトの導体と電気的に接続されることを特徴とするものである。
【００１２】
また、上記目的を達成するために本発明は、一対以上の導体を設けた外郭を有し、前記導体を介して電力及び信号の少なくとも一方を供給する配線ダクトの前記外郭に挿入される配線ダクト接続部材において、前記配線ダクトへの挿入動作に伴い、前記導体と電気的に接続される接続部を備え、前記配線ダクトの外郭は、その長手方向に延びる少なくとも１つ以上のスリット状の開口空間を有し、前記開口空間を形成する１つの面に前記導体が設けられ、前記１つの面に対向するもう１つの面に、前記配線ダクト接続部材を保持するための保持部が設けられ、前記配線ダクト接続部材は、前記配線ダクトの開口空間に嵌合する少なくとも１つ以上の凸部と、前記配線ダクト及び当該配線ダクト接続部材を接続固定するための外部操作部と、を有し、前記接続部は、前記凸部に設けられ、前記外部操作部の押込操作に伴い、前記配線ダクトに設けられた前記保持部により所定方向に付勢され、前記配線ダクトの導体と電気的に接続されることを特徴とするものである。
【００１３】
この配線ダクト接続部材において、前記開口空間は、前記配線ダクトの開口部から内部に向かい狭くなる形状を有し、前記配線ダクト接続部材の凸部は、当該形状に沿って、前記配線ダクトの開口部から内部に向かって拡大する形状を有することが好ましい。
【００１４】
この配線ダクト接続部材において、前記開口空間及び配線ダクト接続部材の凸部は、前記配線ダクトの開口部から内部に向かって傾斜する傾斜部を有することが好ましい。
【００１５】
この配線ダクト接続部材において、前記傾斜部は、熱硬化性樹脂で構成されることが好ましい。
【００１６】
この配線ダクト接続部材において、前記配線ダクト接続部材は、さらに、前記接続部となる金属導体を取り付ける取り付け板と、前記取り付け板と前記配線ダクト接続部材の外郭との間に配置されるバネと、を備え、前記接続部の可動範囲は、前記外部操作部の押込操作に伴い押し込まれる前記取り付け板及び前記バネの可動範囲によって決まることが好ましい。
【００１７】
この配線ダクト接続部材において、前記外部操作部と前記取り付け板との間にバネを設けることが好ましい。
【００１８】
この配線ダクト接続部材において、前記取り付け板と前記外郭との間に配置されるバネと、前記外部操作部と前記取り付け板との間に設けたバネとを一体化したことが好ましい。
【００１９】
また、上記目的を達成するために本発明は、一対以上の導体を設けた外郭を有し、前記導体を介して電力及び信号の少なくとも一方を供給する配線ダクトの前記外郭に挿入される配線ダクト接続部材において、前記配線ダクトへの挿入動作に伴い、前記導体と電気的に接続される接続部を備え、前記配線ダクトの外郭は、その長手方向に延びる少なくとも１つ以上のスリット状の開口空間を有し、前記開口空間を形成する１つの面、及びこの１つの面に対向するもう１つの面に前記導体が設けられ、前記配線ダクト接続部材は、前記配線ダクトの開口空間に嵌合する少なくとも１つ以上の凸部と、前記凸部内に設けられて前記接続部を前記導体側に誘導する傾斜を有する傾斜部と、前記配線ダクト及び当該配線ダクト接続部材を接続固定するための外部操作部と、を有し、前記接続部は、前記凸部に設けられ、前記外部操作部の押込操作に伴い、前記傾斜部の傾斜より所定方向に付勢されて前記導体と電気的に接続され、複数の前記接続部は、前記配線ダクトの短手方向における長さの異なる段違い構成を有することを特徴とするものである。
【００２０】
この配線ダクト接続部材において、前記接続部は、バネ形状の金属導体、又は立体形状の金属導体で形成されることが好ましい。
【００２１】
この配線ダクト接続部材において、複数の前記接続部は、前記配線ダクトの短手方向における長さの異なる段違い構成を有することが好ましい。
【００２２】
この配線ダクト接続部材において、前記外部操作部は、機械的な押しボタンであることが好ましい。
【００２３】
この配線ダクト接続部材において、前記外部操作部の押込操作で、前記配線ダクト接続部材を前記配線ダクトに固定することが好ましい。
【発明の効果】
【００２４】
本発明によれば、配線ダクトの開口空間にプラグなどの配線ダクト接続部材を挿入する
だけで、配線ダクト接続部材に設けられた接続部が配線ダクトの導線に接続され、配線ダクト接続部材が配線ダクトに固定されるので、接続作業が容易となる。
【図面の簡単な説明】
【００２５】
【図１】本発明の実施の形態１に係る配線ダクトシステムの斜視図である。
【図２】（ａ）同上実施の形態１に係る配線ダクトの斜視図、（ｂ）同上配線ダクトの断面図、（ｃ）同上配線ダクトの平面図、（ｄ）同上配線ダクトの正面図である。
【図３】（ａ）同上実施の形態１に係るプラグ（配線ダクト接続部材）を配線ダクトに挿し込むときの断面図、（ｂ）同上プラグを同上配線ダクトに挿し込んだ後の断面図、（ｃ）同上プラグの斜視図である。
【図４】（ａ）は同上プラグの側面からの透視図、（ｂ）は同上プラグの正面図、（ｃ）は（ａ）のＡ−Ａ´線断面図である。
【図５】（ａ）同上実施の形態１の第１の変形例に係るプラグを配線ダクトに挿し込むときの断面図、（ｂ）同上プラグを同上配線ダクトに挿し込んだ後の断面図である。
【図６】（ａ）は同上プラグの側面からの透視図、（ｂ）は同上プラグの正面図、（ｃ）は（ａ）のＡ−Ａ´線断面図である。
【図７】（ａ）異なる形状をしたプラグの断面図、（ｂ）同上プラグを配線ダクトに挿し込んだ後の断面図である。
【図８】本発明の実施の形態２に係るプラグ及び配線ダクトの断面図である。
【図９】（ａ）同上実施の形態２の第１の変形例に係るプラグ及び配線ダクトの断面図、（ｂ）同上実施の形態２の第２の変形例に係るプラグ及び配線ダクトの断面図、（ｃ）同上変形例における取り付け板の押圧領域の説明図である。
【図１０】（ａ）本発明の実施の形態３に係るプラグを配線ダクトに挿し込むときの断面図、（ｂ）同上プラグを同上配線ダクトに挿し込んだ後の断面図である。
【図１１】従来の配線ダクトに対するプラグの取り付け法を示す斜視図である。
【発明を実施するための形態】
【００２６】
本発明の実施の形態に係る配線ダクト接続部材について図面を参照して説明する。
【００２７】
（実施の形態１）
図１に示すように、配線ダクトシステムＳは、配線ダクト１、配線ダクト接続部材（以下、接続部材と記す）であるプラグ２、及び電気機器３を備えている。配線ダクト１は、例えば、パイプ４の前面を被設置面として取り付けられ、この配線ダクト１の前面に、プラグ２を介して表示器や光センサなどの電気機器３が取り付けられる。
【００２８】
プラグ２は、配線ダクト１の一面に形成された開口部から挿入される接続部材であり、配線ダクト１に着脱可能に保持されると共に、電気機器３に接続されて電気機器３に電力及び信号の少なくとも一方を供給する。なお、接続部材はプラグ２に限られるものではなく、複数の配線ダクト１を互いに接続するジョイナ（連結部材）など他の部材も含まれる。図１において、プラグ２には、電気機器３として、配線ダクト１の長手方向の両端に光センサ、配線ダクト１の長手方向の中央部に表示器が取り外し可能に取り付けられる。なお、プラグ２に取り付けられる電気機器３の構成は表示器や光センサに限定されるものではない。
【００２９】
電気機器３は、ＡＣ２４Ｖ等で駆動が可能な弱電仕様の機器であり、比較的軽量な構成となっている。例えば、表示器は、情報を表示するＬＥＤ表示部や液晶表示部を備え、制御コンピュータからの通信信号を受けて、数値表示、ランプ表示や作業者の部品取り出しの可否、取り出し部品数などの作業履歴の表示を行う。光センサは、工場のピッキングシステムなどに用いられる赤外線センサであり、作業者の手による光の遮断を検知し、この検知結果を配線ダクト１を介して通信接続される制御コンピュータに送信する。
【００３０】
次に、配線ダクト１の構造に関して図２及び図３を参照しながら説明する。配線ダクト１は、図２（ａ）に示すように、所定の直線方向（以下、長手方向Ｌ）に延びた成形体である。
【００３１】
配線ダクト１の外郭であるハウジングは、その長手方向Ｌに延びるスリット状の開口空間５を有し、開口空間５を形成する１つの面に導体である電力線１６が設けられ、この面に対向する面に、プラグなどの接続部材を保持する突起部１７（保持部）が設けられる。図２（ｂ）に示すように、配線ダクト１は、長手方向Ｌに直交する断面がＵ字形状であり、金属材料からなる金属部１０と、金属部１０の周囲に設けられた絶縁樹脂からなる絶縁体１１とを備えている。金属部１０及び絶縁体１１は、長手方向Ｌに沿って延びている。
【００３２】
配線ダクト１の芯材である金属部１０は、配線ダクト１が設置される設置面に向かい合わせて設けられる基部１３を有している。長手方向Ｌに垂直な断面において上下方向に延びる平板状の基部１３は、長手方向Ｌに沿って延びる。また、垂直断面においてＵ字形状の外形を有する金属部１０は、上側に設けられる上側壁部１４と、下側に設けられる下側壁部１５とを備えている。なお、配線ダクト１のハウジングを樹脂材のみで一体成型することも考え得る。
【００３３】
配線ダクト１は、一対の電力線１６及び一対の突起部１７を収納する開口空間５を有すると共に、この開口空間５に連続する開口部１２を有し、この開口部１２は、長手方向Ｌにおいて延びて設けられている。
【００３４】
配線ダクト１の開口空間５を形成する内側上面には、図３（ａ）に示すように、対となる電力線１６が設けられ、これら電力線１６は、内側上面及び内側底面の短手方向中心を通る中心線Ａを中心として、対象となる位置に配置される。なお、配線ダクト１の内部に収容される導体は、電力線に限定されるものではなく、後述する通信線を配置することもできる。
【００３５】
配線ダクト１の内側面は比較的フラットな構造となっており、この構造により、配線ダクト１の内部に侵入した塵埃を容易に掃除できる。また、塵埃を容易に掃除できるため、塵埃が配線ダクト１の開口空間５に侵入することを防ぐダクトカバーを開口部１２に取り付ける必要がない。さらには、配線ダクト１に取り付けられる電気機器３は、弱電力用で駆動可能な機器であるため、特にダクトカバーを設けなくても火災などの安全上の規定に抵触することがなくなる。
【００３６】
金属部１０は、非磁性体の金属材料であるアルミニウムで構成すると、低い周波数領域において、鉄より電磁波遮蔽の特性が得られることがあるため、アルミニウムで構成される。しかしながら、金属部１０の材料はこれに限定されるものではなく、例えば押し出し成型などで用いられる鉄材を用いてもよい。
【００３７】
絶縁体１１は、絶縁樹脂で形成され、電力線１６及び突起部１７と金属部１０とが接続されないように金属部１０の外周表面を覆うように設けられている。絶縁体１１は、電力線１６及び突起部１７を支持している。従って、金属部１０は、絶縁体１１により電力線１６及び突起部１７と絶縁され、電磁シールドとして機能する。また、絶縁体１１を絶縁樹脂で形成することにより、配線ダクト１を任意の箇所で容易に切断することができフレキシブルで自由度の高い部材とできる。
【００３８】
次に、配線ダクト１の内側底面に形成された突起部１７に関して説明する。突起部１７は、図３（ａ）に示すように、配線ダクト１内に設けられる電力線１６の取付け面である内側上面に対向する内側底面に、電力線１６に対向した位置に設けられる。この突起部１７は、接続部材であるプラグ２を配線ダクト１に固定すると共に、プラグ２に備わる接続部２１の電気的な接続位置を切り替える役目を有する。
【００３９】
突起部１７は、配線ダクト１の内側上面及び内側底面の短手方向中心を通る中心線Ａを中心として、対象となる位置に配置される。なお、突起部１７及び電力線１６は、中心線Ａを中心として対象とならない位置に配置することも考え得る。また、突起部１７の断面形状は、半円形状に限定されるものではなく、凸形状、多角形状や三角形状とすることもできる。
【００４０】
次に、図３及び図４を参照して配線ダクト１とプラグ２との接続構造に関して説明する。プラグ２は、図３に示すように、配線ダクト１の外殻に合わせた形状で形成され、垂直断面が略Ｕ字形状で、上下方向の中央から短手方向に水平に延び、配線ダクト１の開口空間５に嵌合する凸部２ａが形成されている。
【００４１】
凸部２ａは、プラグ２への挿入動作に伴い配線ダクト１の内側底面に形成された突起部１７により上方向（図３では矢印Ｙ１方向）に付勢され、その上端部が電力線１６と電気的に接触されるバネ形状をした接続部２１を内蔵する。すなわち、プラグ２の配線ダクト１への挿入動作に伴い、プラグ２の接続部２１と配線ダクト１の電力線１６とが電気的な非接続状態から接続状態に切り替わる。
【００４２】
図４に示す場合、接続部２１ａ，２１ｂは、バネ形状の金属導体で構成されている。しかし、接続部２１はこれに限定されるものではなく、例えば、図３（ｃ）に示すように、電力線１６と電気的に接続可能な立体形状の金属導体で構成されていても構わない。接続部２１ａ，２１ｂは、取り付け板２３に接続されている。また、図４（ｃ）に示すように、複数の接続部２１ａ，２１ｂは、配線ダクト１の短手方向における長さの異なる段違い構成を有している。
【００４３】
なお、プラグ２の外側には、プラグ２に取り付けられる電気機器３のコネクタを挿し込むためのコネクタ挿入部２２が形成され、このコネクタ挿入部２２と接続部２１は、導線を介して電気的に接続されている。
【００４４】
以上の説明のように、本実施の形態１において、小型薄型が図られた接続部材であるプラグ２の凸部２ａは、接続部２１を備える。この接続部２１は、プラグ２の配線ダクト１への挿入動作に伴い、配線ダクト１の内側底面に設けられた突起部１７により上昇され、配線ダクト１の導体１６と電気的に接続される。この構成により、ユーザはプラグ２を配線ダクト１に挿し込むだけの容易な操作でプラグ２を配線ダクト１に固定できると共に、電力線１６と接続部２１とを電気的に接続できる。
【００４５】
（第１の変形例）
本実施の形態１の第１の変形例について、図５及び図６を参照して説明する。本変形例において、配線ダクト１は、上下方向の中央位置から短手方向（水平方向）に延びる凸部１ａを有し、プラグ２は、配線ダクト１の２つの開口空間５に嵌合する２つの凸部２ａを有する。
【００４６】
配線ダクト１の電力線１６は、金属部１０の上側壁部１４及び下側壁部１５に設けられた絶縁体１１によって固定されている電力線により構成され、その並び方向が短手方向に平行な方向に、間隔を空けて設けられている。通信線１８も、金属部１０の上側壁部１４及び下側壁部１５に設けられた絶縁体１１によって固定されている通信線により構成され、その並び方向は電力線１６と連続し、短手方向に平行な方向に、間隔を空けて設けられている。突起部１７は、凸部１ａの上側面及び下側面において、電力線１６及び通信線１８に対向する位置に配置される。
【００４７】
プラグ２の凸部２ａは、プラグ２の配線ダクト１への挿入動作に伴い、配線ダクト１の凸部１ａに設けられた突起部１７により上昇又は下降され、配線ダクト１の電力線１６及び通信線１８と電気的に接続される接続部２１ａ〜２１ｄを内蔵する。すなわち、図６に示すように、プラグ２の凸部２ａには、電力線１６に電気的に接続される金属バネ状の接続部２１ａ，２１ｂ及び通信線１８に接続される金属バネ状の接続部２１ｃ，２１ｄが設けられる。
【００４８】
このように、本変形例では、プラグ２の凸部２ａに設けられる接続部２１ａ〜２１ｄと配線ダクト１の電力線１６及び通信線１８とを、プラグ２の配線ダクト１への挿入動作に伴って電気的に接続できる。このため、本変形例では、電力供給と通信信号の多伝送が可能となり、電力供給と通信信号を必要とする電気機器３を配線ダクト１に接続する場合でも、必要なケーブル数を少なくできる。
【００４９】
なお、図７に示すように、プラグ２の凸部２ａにバネ状の接続部２１ａ，２１ｂを設け、凸部２ａの短手方向の長さを、プラグ２の上側面及び下側面の短手方向の長さより長くすることも考え得る。
【００５０】
（実施の形態２）
以下、本発明に係る配線ダクト接続部材の実施の形態２に関して図８を参照して説明する。なお、上記実施の形態１に係る配線ダクト１及びプラグ２と同様の構成には同符号を付し、その詳細な説明は省略する（以下同じ）。
【００５１】
図８に示すプラグ２は、配線ダクト１の開口空間に嵌合する２つの凸部２ａと、押しボタン（外部操作部）２ｂと、接続部２１の金属体を取り付ける取り付け板２３と、取り付け板２３及びプラグ２の外郭の間に内蔵されたバネ２ｃとを有している。プラグ２の凸部２ａには、配線ダクト１に挿入される状態で、配線ダクト１の開口部１２から開口空間の内部に向かって狭くなる傾斜部２ｄが形成される。接続部２１の可動範囲は、押しボタン２ｂの押込操作に伴って押し込まれる取り付け板２３及びバネ２ｃの可動範囲に応じて決定される。
【００５２】
一方、配線ダクト１は、配線ダクト１の上下方向の中央から短手方向に向かって延設され、プラグ２に嵌合する凸部１ａが形成される。開口空間５は、配線ダクト１の開口部１２から内部に向かい狭くなる形状を有する。すなわち、凸部１ａは、配線ダクト１の開口部１２から内部に向かって傾斜する傾斜部１ｂを有している。これらの傾斜部１ｂ，２ｄは、エポキシ樹脂、不飽和ポリエステル樹脂などの熱硬化性樹脂で構成される。
【００５３】
次に、本実施の形態２に係るプラグ２の配線ダクト１への挿入動作に関して説明する。
プラグ２の凸部２ａは、押しボタン２ｂの押込操作に伴い、取り付け板２３と共に押し込まれる。接続部２１は、配線ダクト１に設けられた突起部１７により上昇方向又は下降方向に付勢され、配線ダクト１の導体１６，１８と電気的に接続される。従って、ユーザはプラグ２などの接続部材を配線ダクト１に挿し込み、さらに押しボタン２ｂを押し込むだけで配線ダクト１にプラグ２を固定できると共に、配線ダクト１の電力線１６及び通信線１８とプラグ２の接続部２１とを電気的に接続できる。また、プラグ２を配線ダクト１から取り外す場合には押しボタン２ｂを再度押し込んで開放することで、プラグ２を容易に配線ダクト１から取り外すことが可能となる。
【００５４】
なお、本実施の形態２において、配線ダクト１の凸部１ａの上側面及び下側面に突起部１７が形成されているが、傾斜部１ｂのみを用いて接続部２１を付勢し、導体１６，１８と電気的に接続することも考え得る。
【００５５】
（第１の変形例）
本実施の形態２の第１の変形例について、図９（ａ）を参照して説明する。本変形例では、上記実施の形態２のプラグ２の構成に加えて、押しボタン２ｂと取り付け板２３との間にバネ２ｅを設ける。この構成により、プラグ２内部に備わる取り付け板２３の反りなどの変形を軽減し、また、プラグ２の接続部２１と配線ダクト１の導体１６，１８との接続を緩和させることができる。
【００５６】
（第２の変形例）
本実施の形態２の第２の変形例について、図９（ｂ）及び図９（ｃ）を参照して説明する。本変形例では、上記変形例１においてプラグ２に内蔵したバネ２ｃ及びバネ２ｅを一体化したバネ２ｆを設けた。この構成により、押しボタン２ｂの押込操作に伴い、取り付け板２３が押し込まれ、取り付け板２３の領域Ａをバネ２ｆで押し込み、領域Ｂを押しボタン２ｂで押す込むことができる。従って、押しボタン２ｂとプラグ２の外郭と間でのバネ強度を保つことができる。
【００５７】
（実施の形態３）
以下、本発明に係る配線ダクト接続部材の実施の形態３に関して図１０を参照して説明する。なお、本実施の形態３に係る配線ダクト１は垂直断面が略Ｕ字形状で形成され、内側上面には電力線１６、内側底面には通信線１８が収容され、接続部材を配線ダクト１に固定するために用いる突起部は形成されていない。
【００５８】
プラグ２は、配線ダクト１の開口空間５に嵌合する凸部２ａと、押しボタン２ｂとを有する。凸部２ａ内には、図１０（ａ）に示すように、接続部２１を配線ダクト１の導体１６，１８側に付勢するための傾斜部２ｇが形成される。接続部２１は、凸部２ａに設けられ、押しボタン２ｂの押込操作に伴い、傾斜部２ｇの傾斜を利用する動作機構によって上方向又は下方向に付勢され、配線ダクト１の導体１６，１８と電気的に接続される。
【００５９】
図１０（ｂ）に示すように、プラグ２には、押しボタン２ｂの押込操作を確認できる係止部２ｈが内蔵される。この係止部２ｈは、押しボタン２ｂに形成された凹部と嵌合して、ユーザはプラグ２と配線ダクト１との接続を確認できる。
【００６０】
以上のように、本実施の形態３においては、上記各実施の形態と比較してプラグ２を小型化することが可能となる。また、熱硬化性樹脂などで形成される傾斜部２ｇやバネ２ｃを設けることで、上下の接続部２１の間の絶縁耐性も向上できる。さらに、押しボタン２ｂの操作によりプラグ２を配線ダクト１から着脱することができ、また、係止部２ｈを備えているため配線ダクト１における接続確認が容易となる。
【００６１】
なお、本発明は、上記実施の形態の構成に限られず、発明の趣旨を変更しない範囲で種々の変形が可能である。例えば、配線ダクト１に形成される開口空間５は１つ又は２つに限定されるものではなく、複数の開口空間を形成することで、配線ダクト１の内部に収容される電力線数及び通信線数を拡張することができる。また、配線ダクト１に、電力線１６や通信線１８の導体を複数対以上で併走するように設け、プラグ２に当該複数対以上の導体に対応させた接続部２１を設けることもできる。なお、電力線１６を多対併走させる場合には、安全規格に示す離隔距離をとる必要がある。
【符号の説明】
【００６２】
１  配線ダクト
１ａ  凸部
１ｂ  傾斜部
２  プラグ（配線ダクト接続部材）
２ａ  凸部
２ｂ  押しボタン
２ｃ，２ｅ，２ｆ  バネ
２ｄ，２ｇ  傾斜部
２ｈ  係止部
３  電気機器
５  開口空間
１０  金属部
１１  絶縁部
１２  開口部
１６  電力線
１７  突起部（保持部）
１８  通信線
２１，２１ａ，２１ｂ，２１ｃ，２１ｄ  接続部
２２  コネクタ挿入部
２３  取り付け板
Ｓ  配線ダクトシステム
【図１】
0005891360.tif 000002
【図２】
0005891360.tif 000003
【図３】
0005891360.tif 000004
【図４】
0005891360.tif 000005
【図８】
0005891360.tif 000006
【図９】
0005891360.tif 000007
【図１０】
0005891360.tif 000008
【図１１】
0005891360.tif 000009
【図５】
0005891360.tif 000010
【図６】
0005891360.tif 000011
【図７】
0005891360.tif 000012